(57)【要約】【課題】無線通信システムにおけるSDU廃棄方法を提供する【解決手段】  SDUのシーケンスは、少なくとも一つの最後の廃棄SDUを含み、最後の廃棄SDUの長さインジケータを含むPDUが新しいSDUを有しない場合、移動受信ウィンドウのスーパーフィールド（Move  Receiving  Widow  Super  Field：MRW  SUFI）を生成する工程と、MRW  SUFIのNLENGTHフィールドを０にセットする工程と、MRWフィールドの最後のSNを、最後の廃棄SDUの長さインジケータを含むPDUのSNプラス１の値にセットする工程と、MRW  SUFIを出力する工程とを含む。【選択図】  図８
2006094518.tif 000002
【特許請求の範囲】
【請求項１】
通信システムにおいて、少なくとも一つの最後の廃棄サービス・データ・ユニット（SDU：Service  Data  Unit）を含むSDUのシーケンスの廃棄を処理する方法であって、
前記最後の廃棄SDUの長さインジケータを含むプロトコール・データ・ユニット（PDU：Protocol  Data  Unit）が新しいSDUを有しない場合、
移動受信ウィンドウ・スーパー・フィールド（Move  Receiving  Window  Super  Field：MRW  SUFI）を生成する工程と、
前記MRW  SUFIのNLENGTHフィールドを０に設定する工程と、
前記MRWフィールドの最後のシーケンスナンバー（SN_MRWLRNGTH）を、最後の廃棄SDUの長さインジケータを含むPDUのシーケンスナンバー（SN）プラス１に設定する工程と、
MRW  SUFIを出力する工程と、
を有し、
前記長さインジケータは、最後の廃棄SDUの終了位置を示し、
前記SN_MRWLRNGTHは、最後の廃棄SDUの次にあるSDUのデータセグメントを含むPDUのSNを示し、
前記MRW  SUFIのNLENGTHフィールドを０に設定する工程において、前記最後の廃棄SDUがSN＝SN_MRWLRNGTH−１であるPDUに終了し、SN＝SN_MRWLRNGTHであるPDUにおける第一のデータオクテットが最後の廃棄SDUの次にあるSDUの第一のデータオクテットであり、
前記MRW  SUFIは、廃棄SDUの情報信号を送信するのに使用される、
SDU廃棄方法。
【請求項２】
前記最後の廃棄SDUの長さインジケータを含むPDUは、前記最後の廃棄SDUのデータセグメントを含まない、
請求項１に記載のSDU廃棄方法。
【請求項３】
請求項１に記載のSDU廃棄方法を実行する通信装置。
【請求項４】
送信器と受信器とを更に含む、
請求項３に記載の通信装置。
【請求項５】
携帯電話である、
請求項４に記載の通信装置。
【請求項６】
携帯電話の基地局である、
請求項４に記載の通信装置。
【請求項７】
固定無線ネットワークユニットである、
請求項４に記載の通信装置。
【請求項８】
固定無線電話システムである、
請求項４に記載の通信装置。
【請求項９】
請求項２に記載のSDU廃棄方法を実行する通信装置。
【請求項１０】
送信器と受信器とを更に含む、
請求項９に記載の通信装置。
【請求項１１】
携帯電話である、
請求項１０に記載の通信装置。
【請求項１２】
携帯電話の基地局である、
請求項１０に記載の通信装置。
【請求項１３】
固定無線ネットワークユニットである、
請求項１０に記載の通信装置。
【請求項１４】
固定無線電話システムである、
請求項１０に記載の通信装置。
【発明の詳細な説明】
【技術分野】
【０００１】
本発明は、無線通信に関し、具体的に、無線通信システムにおけるデータセグメントの廃棄方法に関する。
【背景技術】
【０００２】
無線通信分野における新たなアプリケーションが開発されつつある。例えば、音声通信において、パッケージ化されるデータは、セルラーモデム、カメラ付き電話、光速ネットワークの固定無線送受信機、及び他のアプリケーションに使用される。そのため、高性能な通信規約が開発されている。３GPPTM（The  3rd  Generation
Partnership  Project）は、新たな通信規約の一例である。例えば、「非特許文献１」には、ユニバーサル移動体通信システム（Universal  Mobile  Telecommunication  System：  UMTS）とデータ送信制御プロトコールが説明されている。
【０００３】
UMTSは三層方法により通信を行う。三層のプロトコールは、物理的なトランスポート層である第一の層と、データのパッケージ化、照合、整理を行う第二の層と、データを生成或いは使用するアプリケーションと第二の層との間のインターフェスである第三の層とを有する。
【０００４】
データのパッケージ化と照合は、送信中のノイズ或いは他のエラーによる紛失したデータセグメントを、再送信処理を起動することにより対処するために設けられる。プロトコールエラーにより再送信処理によるデータ照合を実行できない場合、リセット処理を始動し、プロトコールエラーから送信を回復することができる。しかし、このリセット処理において、全ての状態変数がリセットされ、送信処理が最初からやり直されるので、大幅な遅延が生じる。このような問題は主に第二（パケットコントロール）の層に生じる。
【０００５】
図１は、３GPPTM通信規約における通信システムの三層方法を示すブロック図である。図１に示すように、代表的な無線通信システムにおいて、第一の局３００は、一つ以上の第二の局４００と無線通信を行う。第一の局３００のアプリケーション３３０はメッセージ３１０を生成し、層３のインターフェス３２０に送り、そして、メッセージ３１０は第二の局４００に送られる。また、層３のインターフェス３２０は、層３の操作を制御するための信号メッセージ３２０aを生成できる。層３のインターフェス３２０はメッセージ３１０または信号メッセージ３２０aを層２のサービス・データ・ユニット（Service  Data  Unit、SDU：SDU）３４０として層２のインターフェス３６０に伝送する。層２のSDU３４０は任意の長さを有しても良い。層２のインターフェス３６０はSDU３４０と一つ以上の層２のプロトコール・データ・ユニット（Protocol  Data  Unit、PDU：PDU）３８０とを結合する。層２のPDU３８０の各々は固定長を有し、層１のインターフェス３９０に伝送される。なお、可変長のSDUが固定長のPDUとしてトランスポートされることにより本発明に関連する問題が生じる。
【０００６】
層１のインターフェス３９０は、物理層であり、データを第二の局４００に送信する。送信データは、第二の局４００の層１のインターフェス４９０に受信され、一つ以上のPDU４８０に再生成され、層２のインターフェス４６０に送信される。層２のインターフェス４６０は、PDU４８０を受信し、PDU４８０から一つ以上の層２のSDU４４０を生成する。層２のSDU４４０は、層３のインターフェス４２０に送信される。層３のインターフェス４２０は層２のSDU４４０をメッセージ４１０または層３の信号メッセージ４２０aに変換した後に、メッセージ４１０または層３の信号メッセージ４２０aは層３のインターフェス４２０により処理される。ここで、メッセージ４１０は、第一の局３００のアプリケーション３３０により生成された元のメッセージ３１０と一致しており、層３の信号メッセージ４２０aは、層３のインターフェス３２０により生成された元の信号メッセージ３２０aと一致している。受信されたメッセージ４１０は、第二の局４００のアプリケーション４３０に送信される。
【０００７】
紛失したデータを検出するために、プロトコールは、第二の局４００の第二の層４２０におけるPDU照合に基づき、PDUがまだ受信されていないことを通知し、第二の局４００の第一の層４９０から第一の局３００の第一の層３９０に再送信の要求を送る。
【０００８】
図５は、SDUを含むPDUの代表的なシーケンスを示す図である。図５に示す例において、各々の長さが８０オクテットである二つのSDU、即ちSDU１とSDU２は、各々の長さが６４オクテットである四つのPDU、即ちP0、P1、P2及びP3にパッケージされる。各PDUは、長さが２オクテットであるヘッダーP0h、P1h、P2h及びP3hを含み、また、残りの６２オクテットは、PDUの内容である。各ヘッダーは、送信されたPDUにおいて、順次増大するシーケンスナンバー（SN）と、PDUがSDUの最後のバイトの位置を表示する長さインジケータ（LI）を持つかどうかを示すフラグとなどを有する。このフラグは、ヘッダーの最後のビットに位置する。フラグの値は１である場合、PDUは、当該PDUに関するデータの長さを表示する第一の７ビットと、このLIがPDUの最後のLIであるかどうかを示す８ビットのフラグとを含む１オクテットのLI構造を有する。PDU  P0は、SNが0であり、そのフラグは、LIが無いことを示す。よって、データ１０aがただ一つのSDUからなる。PDU  P1は、SNが１であり、そのフラグは１にセットされ、次のオクテットがLIフィールドと１ビットのフラグとを含むLI構造であることを示す。第一のLIフィールド１０Lは、１８と、もう一つのLI構造が次にあることと示すフラグとを含む。そして、PDU  P1は、１２７と、第二のLIがPDUの最後のLIであることを示す0の値を持つフラグとを有する第二のLIフィールドP1pLを含む。二つのLI構造の次にあるこのPDUの第一の１８データバイトは、SDU１のデータ１０ｂの残り部分である。第二のLIの特別な値（１２７）は、PDUの他の部分P1pがパッドであることを示し、このパッドは、PDU  P1の固定長を保つために使用され、無視できるものである。PDU  P2は、SNが２であり、そのフラグは、LIが無いことを示す。よって、データ１２aがただ一つのSDUからなる。PDU  P３は、同じように、SNが３であり、そのフラグは、１にセットされ、LI構造を含むことを示す。LI  １２Lは、１８と、その次に第二のLI構造があることを示すフラグとを有する。そして、PDU  P3は、１２７と、０であるフラグとを含むLIフィールドP3pLを有する。よって、二つのLI構造の次にあるこのPDU  １２bの第一の１８データバイトは、SDU２のデータ１０ｂの残り部分である。残り部分P3pは、パッドである。
【０００９】
図６は、SDUを含むPDUの他の代表的なシーケンスを示す図である。図６に示す例において、各々の長さが８０オクテットである二つのSDU、即ち、SDU１とSDU２は、各々の長さが６４オクテットである三つのPDU、即ち、Q0、Q1及びQ2にパッケージされる。各PDUは、長さが２オクテットであるヘッダーQ0h、Q1h及びQ2hを含み、また、残り６２オクテットは、PDUの内容である。PDU  Q0は、SNが０であり、そのフラグは、LIが無いことを示す。よって、データ１４aがただ一つのSDU  SDU１からなる。PDU  Q1は、ヘッダーQ1hを含み、ヘッダーQ1hは、SNが１であり、そのヘッダーQ1hの次にLI構造があることを示す１の値であるフラグとなどを有する。LIフィールド１４Lは、１８と、その次にLIが無いことを示す0であるフラグとを含む。よって、このPDUの第一の１８データオクテットは、SDU1の残り部分であり、また、残りの４３データオクテットは、次のSDU２からなる。PDU  Q2は、ヘッダーQ2hを含み、ヘッダーQ2hは、2であるSNと、ヘッダーQ2hの次にLI構造があることを示す１であるフラグとを有する。LIフィールド16Lは、３７と、その次に他のLIがあることを示す１であるフラグとを含む。第二のLIは、127と、その次に他のLIが無いことを示す０であるフラグとを含む。このPDUの第一の３７データオクテットは、SDU２の残り部分であり、また、残りのQ2pのオクテットは、無視できるパッドである。
【００１０】
図７は、SDUを含むPDUの第三の代表的なシーケンスを示す図である。図７に示す例において、二つのSDU、即ち、長さが６２オクテットであるSDU１と長さが８０オクテットであるSDU２とは、各々の長さが６４オクテットである四つのPDU、即ち、R0、R1、R2及びR3にパッケージされる。それぞれのPDUは、長さが２オクテットであるヘッダーR0h、R1h、R2h及びR3hを含み、また、残り６２オクテットは、PDUの内容である。PDU  R0は、SNが０であり、そのフラグは、LIが無いことを示す。よって、データ１８aがただ一つのSDUからなる。PDU  R1は、SNが１であり、そのフラグは、１にセットされ、LI構造を含むことを示す。LI  １８Lは、０と、次にLIがあることを示す1であるフラグとを有する。そして、PDU  R1は、１２７と、このLIがPDUの最後のLIであることを示す0であるフラグとを含むLIフィールドR1pLを有する。第一のLIの特別な値（０）は、前のPDU  R0がSDU１の最後のセグメントで充填され、且つ、前のPDU  R0のSDUの最後を示すLIフィールドが無いことを表示する。よって、PDU  R１の残り部分は、無視できるパッドである。PDU  R2は、SNが２であり、そのフラグは、LIが無いことを示す。よって、データ２０aがただ一つのSDU２からなる。PDU  R3は、ヘッダーR3hを含み、ヘッダーR3hは、３であるSNと、ヘッダーR3hの次にLI構造があることを示す1であるフラグとを有する。LIフィールド２０Lは、１８と、次に他のLIがあることを示すフラグとを含む。そして、PDU  R3は、１２７と、次に他のLIが無いことを示すフラグとを含むLIフィールドR3pLを有する。よって、二つのLI構造の次にあるこのPDUの最初の１８データバイトは、SDU２のデータの残り部分20bであり、残り部分のR3pは、無視できるパッドである。
【００１１】
図２、図３及び図４の組み合わせは、SDUを廃棄する従来の方法の流れ図である。
ステップ１００：新しいMRW（Move  Receiving  Window：MRW）処理を起動する。送信局は、少なくとも一つのSDUを廃棄することを示す。
ステップ１０２：MRW  スーパーフィールド（Superfield：SUFI）を用いステータスPDU（STATUS  PDU）をセットアップする。PDUを構成し、その基本的なフィールドを設定する。
ステップ１０４：このRLCに対して“send  MRW”が生成されたかを判定する。生成されれば、ステップ１１０に進み、そうでなければ、ステップ１０６に進む。
ステップ１０６：最後の廃棄SDUに対する最後のSN_MRWiフィールドを含むようにSTATUS  PDUをセットする。
ステップ１０８：必要に応じて、他の廃棄SDUに対する他のSN_MRW iフィールドを含むように、STATUS  PDUをセットし、ステップ１１６（図３の“A”）に進む。
ステップ１１０：廃棄SDUの数が１５より大きいかどうかを判定する。15は、STATUS  PDUに含まれるSDU  SN_MRWiフィールドの最大の数である。１５より大きい場合、ステップ１１２に進み、１５以下である場合、ステップ１１４に進む。
ステップ１１２：最初の１５個の廃棄SDUに対してMRW  SUFIを構築する。
ステップ１１４：対応する廃棄SDUのSN_MRW iフィールドを取り入れる。そして、ステップ１１６（図３の“A”）に進む。
ステップ１１６：最後の廃棄SDUは、最後の廃棄SDUのLIを含み、新しいSDUを含まないPDUに終了するかどうかを判定する。終了すれば、ステップ１１８に進み、終了しなければ、ステップ１２０に進む。
ステップ１１８：最後のSN_MRW iフィールド（SN_MRW LENGTH）を、最後の廃棄SDUが終了するPDUのSNに１を足した値にセットし、また、N
LENGTHを０にセットする。ステップ１２２（図４の“B”）に進む。
ステップ１２０：最後のSN_MRW iフィールド（SN_MRW LENGTH）を、最後の廃棄SDUのLIを含むPDUのSNにセットし、N
LENGTHを、最後の廃棄SDUのLIを含むPDUにおける廃棄SDUに対応するLIのナンバーにセットする。ステップ１２２（図４の“B”）に進む。
ステップ１２２：他のSN_MRW iフィールドのそれぞれを、対応する廃棄SDUのLIを含むAMD  PDUのSNにセットする。
ステップ１２４：ただ一つのSN_MRW iフィールドがあるか、且つ、それの対応する廃棄SDUが、構成された送信ウィンドウの上方に広がっているかを判定する。広がれば、ステップ１２６に進み、そうでなければ、ステップ１２８に進む。
ステップ１２６：LENGTHを0にセットし、ステップ１３０に進む。
ステップ１２８：LENGTHをSN_MRW iフィールドの個数にセットし、ステップ１３０に進む。
ステップ１３０：MRW  SUFIを用いSTATUS  PDUを送信する。
ステップ１３２：終了。
【００１２】
図５に示す例において、前述のステップは、図２、図３及び図４に示すように、SDU廃棄方法が開始され、SDU１を廃棄する場合、MRW処理がステップ１００（図２に示される）に起動される。MRW  SUFIを含むSTATUS  PDUがステップ１０２にセットアップされる。ただ一つのSDUが廃棄されているので、ステップ１０４からステップ１０６或いはステップ１１０に進んでも、同じ結果が生成される。“send  MRW”が生成されない場合、ステップ１０６は、SDU１のMRW  SUFIにおけるSN_MRW1フィールドを含み、ステップ１０８は、廃棄されている他のSDUが無いので、無視される。“send  MRW”が生成される場合、ステップ１１０は、ただ一つのSDUが廃棄されているので、ステップ１１４に進み、ステップ１１４は、SDU1のMRW  SUFIにおけるSN_MRW1フィールドを含む。また、この二つの経路は再びステップ１１６（図３に示される）で合流する。ステップ１１６において、最後の廃棄SDU  SDU1はPDU  P1に終了し、PDU  P1は、LI  １０Lを含み、また、P1の残り部分がパッドP1pにより充填されるので、P1は、SDU１の次に新しいSDUを含まない。よって、最後のSN_MRWiフィールドSN_MRWLENGTHがP1のSNプラス１の値にセットされ、即ち、P1のSNが１であるので、SN_MRWLENGTHが2にセットされるステップ１１８に進む。そして、ステップ１２２（図４に示される）に進み、ステップ１１２においては、他の廃棄SDUが無いので、何の処理も行われない。ステップ１２４において、送信ウィンドウの実際の位置により、MRW  SUFIのLENGTHフィールドがそれぞれ0或いは1であるステップ１２６或いはステップ１２８に進む。最後に、ステップ１３０において、生成されたばかりのMRW  SUFIを含むSTATUS  PDUを送信する準備ができた。そして、ステップ１３２において終了する。
【００１３】
図６に示す例において、前述のステップは、図２、図３及び図４に示すように、SDU廃棄方法が開始され、SDU１を廃棄する場合、MRW処理がステップ１００（図２に示される）に起動される。MRW  SUFIを含むSTATUS  PDUがステップ１０２にセットアップされる。ただ一つのSDUが廃棄されているので、ステップ１０４からステップ１０６或いはステップ１１０に進んでも、同じ結果が生成される。“send  MRW”が生成されない場合、ステップ１０６は、SDU１のMRW  SUFIにおけるSN_MRW1フィールドを含み、ステップ１０８は、廃棄されている他のSDUが無いので、無視される。“send  MRW”が生成される場合、ステップ１１０は、ただ一つのSDUが廃棄されているので、ステップ１１４に進み、ステップ１１４は、SDU1のMRW  SUFIにおけるSN_MRW1フィールドを含む。また、二つの経路は再びステップ１１６（図３に示される）で合流する。ステップ１１６において、最後の廃棄SDU  SDU１は、PDU  Q1に終了し、Q1は、LI  １４Lと、第一のデータセグメント１６aを有する新しいSDU２とを含む。よって、最後のSN_MRWiフィールドSN_MRWLENGTHがQ1のSNにセットされ、即ち、Q1のSNが１であるので、SN_MRWLENGTHが１にセットされるステップ１２０に進む。そして、ステップ１２２（図４に示される）に進み、ステップ１２２においては、他の廃棄SDUがないので、何の処理も行われない。ステップ１２４において、送信ウィンドウの実際の位置により、MRW  SUFIのLENGTHフィールドがそれぞれ0或いは1であるステップ１２６或いはステップ１２８に進む。最後に、ステップ１３０において、生成されたばかりのMRW  SUFIを含むSTATUS  PDUを送信する準備ができた。そして、ステップ１３２において終了する。
【００１４】
図７に示す第三の例において、前述のステップは、図２、図３及び図４に示すように、SDU廃棄方法が開始され、SDU１を廃棄する場合、MRW処理がステップ１００（図２に示される）に起動される。MRW  SUFIを含むSTATUS  PDUがステップ１０２にセットアップされる。ただ一つのSDUが廃棄されているので、ステップ１０４からステップ１０６或いはステップ１１０に進んでも、同じ結果が生成される。“send  MRW”が生成されない場合、ステップ１０６は、SDU１のMRW  SUFIにおけるSN_MRW1フィールドを含み、ステップ１０８は、廃棄されている他のSDUが無いので、無視される。“send  MRW”が生成される場合、ステップ１１０は、ただ一つのSDUが廃棄されているので、ステップ１１４に進み、ステップ１１４は、SDU1のMRW  SUFIにおけるSN_MRW1フィールドを含む。また、二つの経路は再びステップ１１６（図３に示される）で合流する。ステップ１１６において、最後の廃棄SDU  SDU1は、最後のSDU１のLI  １８Lを含まないPDU  R0に終了する。よって、最後のSN_MRWiフィールドSN_MRWLENGTHが、最後のSDU１のLI  １８Lを含むR1のSNにセットされ、即ち、Q1のSNが１であるので、SN_MRWLENGTHが１にセットされるステップ１２０に進む。そして、ステップ１２２（図４に示される）に進み、ステップ１２２においては、他の廃棄SDUがないので、何の処理も行われない。ステップ１２４において、送信ウィンドウの実際の位置により、MRW  SUFIのLENGTHフィールドがそれぞれ0或いは1であるステップ１２６或いはステップ１２８に進む。最後に、ステップ１３０において、生成されたばかりのMRW  SUFIを含むSTATUS  PDUを送信する準備ができた。そして、ステップ１３２において終了する。
【００１５】
よって、従来の方法は、MRW  SUFIを誤った値にセットし、PDU  R0のみを廃棄し、受信ウィンドウを移動し、PDU  R1に開始する。受信局或いは図１の第二の局は、送信局或いは図１の第一の局において廃棄されるPDU  R１の受信を待つ。その後、リセット処理が始動される。
【００１６】
第３の例に示すように、従来の方法の問題点は、PDUを廃棄すべき際にPDUを廃棄できないことがある。これにより、正常なSDU廃棄過程において、リセット処理を時々実行しなければならない。これらのリセット処理は大量のバンド幅を占用するので、改善されたSDU廃棄法が要求される。
【非特許文献１】The  Third  Generation  Partnership  Project  （３GPP）  Specification,  25.322  V6.1.0  （2004−06），Radio  Link  Control（RLC）Protocol  Specification．
【発明の開示】
【発明が解決しようとする課題】
【００１７】
本発明の目的は、SDU廃棄処理において必要の無いリセットによるリスクを避けることができるSDU廃棄方法を提供することにある。
【課題を解決するための手段】
【００１８】
本発明は、無線通信システムにおけるSDUのシーケンスを廃棄する方法を提供する。SDUのシーケンスは、少なくとも一つの最後の廃棄SDUを含む。本発明の方法は、最後の廃棄SDUの長さインジケータを含むPDUが新しいSDUを有しない場合、移動受信ウィンドウのスーパーフィールド（Move  Receiving  Widow  Super  Field：MRW  SUFI）を生成する工程と、MRW  SUFIのNLENGTHフィールドを０にセットする工程と、MRWフィールドの最後のSNを、最後の廃棄SDUの長さインジケータを含むPDUのSNプラス１にセットする工程と、MRW  SUFIを出力する工程とを含む。
【発明の効果】
【００１９】
本発明は、SDU廃棄方法における必要の無いリセットを避けることができるSDU廃棄方法を提供する。
【発明を実施するための最良の形態】
【００２０】
次に、添付した図面を参照しながら、本発明の好適な実施形態を詳細に説明する。
【００２１】
図２、図８及び図４の組み合わせは、本発明のSDU廃棄方法の流れ図である。なお、図８に示されるステップ２１６と２１８以外のステップは、従来の方法のステップと全く同じであるので、次にステップ２１６と２１８のみを説明する。
【００２２】
ステップ２１６：最後の廃棄SDUのLIを持つPDUが新しいSDUを含むかを判定する。Y含めば、ステップ２１８に進み、含めなければ、ステップ１２０に進む。
【００２３】
ステップ２１８：最後のSN_MRW iフィールド（SN_MRW LENGTH）を、最後の廃棄SDUのLIを持つPDUのSNプラス１にセットし、N
LENGTHを０にセットする。ステップ１２２（図４の“B”）に進む。
【００２４】
図５に示す例において、前述のステップは、図２、図８及び図４に示すように、SDU廃棄方法が開始され、SDU１を廃棄する場合、MRW処理がステップ１００（図２に示される）に起動される。MRW  SUFIを含むSTATUS  PDUがステップ１０２にセットアップされる。ただ一つのSDUが廃棄されているので、ステップ１０４からステップ１０６或いはステップ１１０に進んでも、同じ結果が生成される。“send  MRW”が生成されない場合、ステップ１０６は、SDU１のMRW  SUFIにおけるSN_MRW1フィールドを含み、ステップ１０８は、廃棄されている他のSDUが無いので、無視される。“send  MRW”が生成される場合、ステップ１１０は、ただ一つのSDUが廃棄されているので、ステップ１１４に進み、ステップ１１４は、SDU1のMRW  SUFIにおけるSN_MRW1フィールドを含む。また、二つの経路は再びステップ２１６（図８に示される）で合流する。ステップ２１６において、PDU  P1は最後の廃棄SDU  SDU１のLI  １０Lを含み、また、P1の残り部分がパッドP1pにより充填されるので、P1はSDU１の次に新しいSDUを含まない。よって、最後のSN_MRW
iフィールドSN_MRW LENGTHがP1のSNプラス１の値にセットされ、即ち、P1のSNが１であるので、SN_MRWLENGTHが2にセットされるステップ２１８に進む。そして、ステップ１２２（図４に示される）に進み、ステップ１１２においては、他の廃棄SDUが無いので、何の処理も行われない。ステップ１２４において、送信ウィンドウの実際の位置により、MRW  SUFIのLENGTHフィールドがそれぞれ0或いは1であるステップ１２６或いはステップ１２８に進む。最後に、ステップ１３０において、生成されたばかりのMRW  SUFIを含むSTATUS  PDUを送信する準備ができた。そして、ステップ１３２において終了する。
【００２５】
図６に示す例において、前述のステップは、図２、図８及び図４に示すように、SDU廃棄方法が開始され、SDU１を廃棄する場合、MRW処理がステップ１００（図２に示される）に起動される。MRW  SUFIを含むSTATUS  PDUがステップ１０２にセットアップされる。ただ一つのSDUが廃棄されているので、ステップ１０４からステップ１０６或いはステップ１１０に進んでも、同じ結果が生成される。“send  MRW”が生成されない場合、ステップ１０６は、SDU１のMRW  SUFIにおけるSN_MRW1フィールドを含み、ステップ１０８は、廃棄されている他のSDUが無いので、無視される。“send  MRW”が生成される場合、ステップ１１０は、ただ一つのSDUが廃棄されているので、ステップ１１４に進み、ステップ１１４は、SDU1のMRW  SUFIにおけるSN_MRW1フィールドを含む。また、二つの経路は再びステップ２１６（図８に示される）に合流する。ステップ２１６において、PDU  Q1は、最後の廃棄SDU１のLI  １４Lと、Q1の第一のデータセグメント１６aを含む新しいSDU２とを有する。よって、最後のSN_MRWiフィールドSN_MRWLENGTHがQ1のSNにセットされ、即ち、Q1のSNが１であるので、SN_MRWLENGTHが１にセットされるステップ１２０に進む。そして、ステップ１２２（図４に示される）に進み、ステップ１２２においては、他の廃棄SDUがないので、何の処理も行われない。ステップ１２４において、送信ウィンドウの実際の位置により、MRW  SUFIのLENGTHフィールドがそれぞれ0或いは1であるステップ１２６或いはステップ１２８に進む。最後に、ステップ１３０において、生成されたばかりのMRW  SUFIを含むSTATUS  PDUを送信する準備ができた。そして、ステップ１３２において終了する。
【００２６】
図７に示す第三の例において、前述のステップは、図２、図８及び図４に示すように、SDU廃棄方法が開始され、SDU１を廃棄する場合、MRW処理がステップ１００（図２に示される）に起動される。MRW  SUFIを含むSTATUS  PDUがステップ１０２にセットアップされる。ただ一つのSDUが廃棄されているので、ステップ１０４からステップ１０６或いはステップ１１０に進んでも、同じ結果が生成される。“send  MRW”が生成されない場合、ステップ１０６は、SDU１のMRW  SUFIにおけるSN_MRW1フィールドを含み、ステップ１０８は、廃棄されている他のSDUが無いので、無視される。“send  MRW”が生成される場合、ステップ１１０は、ただ一つのSDUが廃棄されているので、ステップ１１４に進み、ステップ１１４は、SDU1のMRW  SUFIにおけるSN_MRW1フィールドを含む。また、二つの経路は再びステップ２１６（図３に示される）で合流する。ステップ２１６において、PDU  R１は、最後の廃棄SDU１のLI  １８Lを含み、しかし、R1の残り部分がパッドR1pにより充填されるので、R1は、SDU1の次に新しいSDUを有しない。よって、最後のSN_MRW
iフィールドSN_MRWLENGTHが、R1（SDU1のLIを含む）のSNプラス１の値にセットされ、即ち、R1のSNが１であるので、SN_MRWLENGTHが２の値にセットされるステップ２１８に進む。なお、ここでは、SN_MRWLENGTHの値が従来の方法により１にセットされる。そして、ステップ１２２（図４に示される）に進み、ステップ１２２においては、他の廃棄SDUがないので、何の処理も行われない。ステップ１２４において、送信ウィンドウの実際の位置により、MRW  SUFIのLENGTHフィールドがそれぞれ0或いは1であるステップ１２６或いはステップ１２８に進む。最後に、ステップ１３０において、生成されたばかりMRW  SUFIを含むSTATUS  PDUを送信する準備ができた。そして、ステップ１３２において終了する。
【００２７】
ゆえに、本発明により改善された方法は、SDUの最後のセグメントがPDUに終了するものの、このSDUのLIが次のPDUにある場合と、SDUの最後のセグメントがこのSDUのLIとして同じPDUに終了する一般的な場合とを含む全てのSDUを廃棄する場合においても、正しく機能する。図７に示す例において、本発明の方法は、MRW  SUFIを廃棄PDUのR0とR1に正しくセットし、受信ウィンドウを移動し、PDU  R2に開始する。しかし、従来の方法は、受信ウィンドウを移動し、PDU  R1に開始し、その後、リセット処理が起動される。これにより、本発明の方法は、必要の無いリセット処理によるリスクを防止し、バンド幅を節約することができる。
【００２８】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００２９】
【図１】第一の局と第二の局の間における通信と層を示す概略図である。
【図２】従来のSDU廃棄方法の流れ図である。
【図３】従来のSDU廃棄方法の流れ図である。
【図４】従来のSDU廃棄方法の流れ図である。
【図５】連結を用いないSDUのセグメント化を示すブロック図である。
【図６】連結によるSDUのセグメント化を示すブロック図である。
【図７】連結を用いないSDUのセグメント化を示すブロック図である。
【図８】本発明のSDU廃棄方法の流れ図である。
【符号の説明】
【００３０】
３００  第一の局
４００  第二の局
SN  シーケンスナンバー
LI  長さインジケータ
P0、P1、P2、P3  PDU
P0h、P1h、P2h、P3h  ヘッダー
Q0、Q1、Q2  PDU
Q0h、Q1h、Q2h  ヘッダー
【図１】
2006094518.tif 000003
【図２】
2006094518.tif 000004
【図３】
2006094518.tif 000005
【図４】
2006094518.tif 000006
【図５】
2006094518.tif 000007
【図６】
2006094518.tif 000008
【図７】
2006094518.tif 000009
【図８】
2006094518.tif 000010